(57)【要約】  発射装置または衛星ディスペンサから衛星を分離するための接続分離装置（１）であって、２つの分離可能要素の間の結合界面を構成するリング（６、７）上のそれらの内面に結合され得る複数の円周方向に整列されたクランプ（２、２’）と、前記クランプ（２’）の一方の端部を介して２つのクランプ（２’）を接続する解放機構（３）とを含み、解放機構（３）によって接続された２つのクランプ（２’）は解放機構（３）と接続する端部とは反対側の端部においてそれらの外面から突出する突出部（４）を含み、クランプ（２）の残りは隣接するクランプ（２、２’）に隣接するそれらの端部の各々においてそれらの外面から突出する突出部（４）を含み、その結果、解放機構（３）によって互いに隣接し、接続されていないクランプ（２、２、２、２’）の各対は前記突出部（４）を接続する接続手段（５）によって互いに接続される、接続分離装置（１）。
2020501980.tif 000002
【特許請求の範囲】
【請求項１】
２つの分離可能な要素の間のユニオン界面を構成する分離可能な要素のリング（６、７）に、円周方向に整列され、前記リングの内面に取り付け可能な複数のクランプ（２、２’）と、
前記クランプ（２’）の一方の端部にある２つのクランプ（２’）を接続する解放機構（３）と、を備える、
衛星を発射装置または衛星ディスペンサから分離するための接続分離装置であって、
前記解放機構（３）によって接続される２つのクランプ（２’）は、
前記解放機構（３）と接続する端部とは反対側の端部でそれらの外面から突出する突出部（４）を備え、
残りの前記クランプ（２）は隣接するクランプ（２、２’）に隣接する端部のそれぞれにおいて、残りの前記クランプの外面から突出する突出部（４）を備え、前記解放機構（３）によって隣接し、互いに接続されないクランプの各対（２，２；２，２’）は前記突出部（４）を接続する手段（５）によって互いに接続される、ことを特徴とする衛星を発射装置または衛星ディスペンサから分離するための接続分離装置（１）。
【請求項２】
前記クランプ（２）の端部の前記突出部（４）が貫通孔（８）を有し、接続手段（５）が前記貫通孔（８）を貫通する接線方向に配置されたねじおよびナットシステムであって、対応する隣り合うクランプ（２）を接続することを特徴とする、請求項１に記載の発射装置または衛星ディスペンサから衛星を分離するための接続分離装置（１）。
【請求項３】
前記接続分離装置（１）が解放されたときに、前記クランプ（２、２’）を受け入れるために、互いに角度的に分離され、前記分離可能な要素のリング（７）の１つに接続されたいくつかの装置（９）をさらに備えることを特徴とする、請求項１又は請求項２に記載の発射装置または衛星ディスペンサから衛星を分離するための接続分離装置（１）。
【請求項４】
前記突出部（４）の間の間隙に少なくとも１つの充填要素を備えて連続性を提供することを特徴とする、請求項１〜請求項３のいずれか１項に記載の発射装置または衛星ディスペンサから衛星を分離するための接続分離装置（１）。
【請求項５】
前記クランプ（２，２’）が内部的に中空の断面を有することを特徴とする、請求項１〜請求項４のいずれか１項に記載の発射器または衛星ディスペンサから衛星を分離するための接続分離装置（１）。
【請求項６】
前記クランプ（２、２’）が、格子形状の穴を有する領域を含むことを特徴とする、請求項１〜請求項４のいずれか１項に記載の発射装置または衛星ディスペンサから衛星を分離するための接続分離装置（１）。
【請求項７】
前記クランプ（２、２’）はそれらの外面および前記突出部（４）の近傍に、接続手段（５）を受け入れることができる凹部領域（１０）を有することを特徴とする、請求項１〜請求項６のいずれか１項に記載の発射装置または衛星ディスペンサから衛星を分離するための接続分離装置（１）。
【請求項８】
前記解放機構（３）によって接続される前記クランプ（２’）の各々が、突出部（４）を含む端部の外面の円錐凹部を備えることを特徴とする、請求項１〜請求項７のいずれか１項に記載の発射装置または衛星ディスペンサから衛星を分離するための接続分離装置（１）。
【請求項９】
解放機構が解放要素（１１）と、一対の円錐状突起を有するブリッジ（１２）と、ボルト（１３）と、台車（１４）とを備え、接続状態において、前記解放要素（１１）が前記ブリッジ（１２）の円錐状突起が前記クランプ（２’）の円錐状凹部に収容されることを可能にする前記ボルト（１３）を保持し、前記台車（１４）が接続分離装置（１）の内面に隣接して配置されることを特徴とする、請求項８に記載の発射装置または衛星ディスペンサから衛星を分離するための接続分離装置（１）。
【請求項１０】
解放要素（３）が、分離のアクチュエータとして使用される形状記憶ＳＭＡを有する材料からなることを特徴とする、請求項９に記載の発射装置または衛星ディスペンサから衛星を分離するための接続分離装置（１）。
【請求項１１】
解放要素（３）が火工要素であることを特徴とする、請求項９に記載の発射装置または衛星ディスペンサから衛星を分離するための接続分離装置（１）。
【発明の詳細な説明】
【技術分野】
【０００１】
本発明は飛行中に、例えば発射装置または衛星ディスペンサから分離されなければならない衛星のための接続分離装置に関する。
【背景技術】
【０００２】
宇宙船の部分を分離するための手段を備えた様々なシステムが知られている。これらの従来技術のシステムの１つは、ＥＰ０２６７２７９Ａ１に記載された宇宙船用のクランプ接続アセンブリである。このクランプは宇宙船の２つの分離可能な部分を結合し、その各々は、その円周上に溝を有する面取りされたリムを有する。クランプは、前記分離可能部分のリムに適合するように内部に構成され、テンションバンドの手段によって接合されたリテーナを備え、それぞれのリテーナは前記リムの対応する溝部に係合し、宇宙船の２つの分離可能部分の間で荷重を直接的に伝達する剪断ピンを含む。
【０００３】
衛星を取り付け、分離するための別のシステムは、ＥＰ０７６８２４１Ａ１に記載されている。それは、打ち上げロケットのアダプタの上側リングにねじ込まれる締結片と、衛星を締結するための、２部品の金属バンド、湾曲した金属部品からなるテンションストリップであって、いくつかのラグによって形成されたその下部に金属回転シャフトを有する薄壁の円筒形本体を有し、それらの上部を介して衛星の下側リング上に載置され、衛星を取り囲み、それを押圧する、２部品の金属バンド、湾曲した金属部品からなるテンションストリップと、２つの回転シャフトをそれぞれ有し、一方が前記金属部品である。このシステムの目的は、発射ロケットへの衛星の固定および軌道に入る際のその解放を簡略化することである。
【０００４】
ＥＰ０９０５０２２Ａ１は、その内周に形成されたチャンネルを有する開放リング又は金属バンドを備えた衛星を取り付け、分離するためのシステムであって、顎が前記チャンネル内でスライドできる不連続な方法で一体化され、前記リングの端部に固定された２つの端部片と、前記２つの端部を連結するテンションボルトと、衛星の打上げ装置の構造に固定されたリングを保持するための３つの支持体とを備えるシステムを記載している。
【０００５】
ＥＰ１９４４２３７Ａ１は、複数のクランプをスライド自在に収容する内側チャネルを有するストリップを備え、２つの車両間の接続インターフェースを形成するリングに対して適用される、発射車両と衛星とを接続／分離するための装置に関する。この装置はまた、ストリップとクランプとを含む組立体を半径方向に締め付けるための手段と、その端部を結合／分離するための装置とを含み、この装置はロック及びロック解除装置と共に、ストリップを２つの段階で制御された開放を可能にする機構、すなわち、端部がリングとの接触を維持しながら移動し、それによって摩擦手段によってストリップの締め付けに対応する弾性エネルギを散逸させる第１の段階と、ストリップが駐車位置に達するまでリングから分離する第２の段階とを含む。
【０００６】
テンションバンドを有するこれらの接続分離システムの大部分は、伝達される単位長さ当たりの荷重が高いときに示される。しかし、特定の状況（例えば、重量の少ない衛星、または、ミッションの大部分の間に分離されるべき要素と接続分離システムが共存しなければならない場合）では接続分離システムの比較的高い重量が問題を引き起こす可能性がある（例えば、衛星自体に利用可能な質量が低減される可能性がある）。
【発明の概要】
【発明が解決しようとする課題】
【０００７】
本発明の目的は宇宙船または発射装置の要素のための接続分離装置を提供することであり、この接続分離装置は軽量であり、２つの分離可能な要素の間の接続界面の全周にわたって均一な張力を可能にする。
【課題を解決するための手段】
【０００８】
本発明は、衛星を発射装置または衛星ディスペンサから分離するための接続分離装置であって、２つの分離可能な要素の間のユニオン界面を構成する分離可能な要素のリングに、円周方向に整列され、前記リングの内面に取り付け可能な複数のクランプと、前記クランプの一方の端部にある２つのクランプを接続する解放機構と、を備え、前記解放機構によって接続される２つのクランプは、解放機構と接続する端部とは反対側の端部でそれらの外面から突出する突出部を備え、残りのクランプは隣接するクランプに隣接する端部のそれぞれにおいて、前記残りのクランプの外面から突出する突出部を備え、前記解放機構によって隣接し、互いに接続されないクランプの各対は前記突出部を接続する手段によって互いに接続される、接続分離装置、を提供する。
【０００９】
本発明の接続分離装置の設計は２つの分離可能な要素の間のユニオン界面の周囲に均質な張力をかけることを可能にし、追加の要素（外側バンドなど）を欠くことによって、より軽いシステムを達成する。
【００１０】
したがって、提案された解決策は、重量が調整係数である場合（例えば、マイクロ衛星およびミニ衛星を備えたミッションの場合）に非常に適している。
【００１１】
本発明の別の利点は、荷重が界面の全周にわたって分散されるので、点荷重、したがって構造内の局所的な補強が回避され、構造の重量が最適化されることである。
【００１２】
別の利点は、従来のシステムと比較して、解放機構がバンドのゆっくりとした開放を強制するので、衝撃が減少することである。
【００１３】
さらなる有利な実施形態は、従属請求項に記載される。
【００１４】
本発明をより良く理解するために、添付の図面を参照して、これを以下により詳細に説明する。
【図面の簡単な説明】
【００１５】
【図１】図１は、バンドの端部の結合分離機構を有する従来技術のバンドクランプアセンブリの図を示す。
【図２】図２は、本発明の接続分離装置の斜視図である。
【図３】図３は、２つの分離可能な要素間の接続の界面を形成するリングに取り付けられた本発明の接続分離装置の斜視図である。
【図４】図４は、２つの分離可能な要素間の接続の界面を形成するリング上の本発明の接続分離装置の詳細図である。
【図５】図５は、本発明の接続分離装置のクランプの一端の詳細図である。
【図６】図６は、本発明の接続分離装置の解放機構の斜視図である。
【図７】図７は、本発明の接続分離装置の２つの対応するクランプに取り付けられた図６の解放機構の斜視図である。
【発明を実施するための形態】
【００１６】
図１は、バンドの端部のための結合分離機構を備えた従来技術のバンドクランプアセンブリを示す。この図から分かるように、この装置は、複数のクランプが配置された内側チャネルを有する外側バンドを有する。
【００１７】
当該装置は、ＥＰ１９４４２３７Ａ１のＬＰＳＳ(低衝撃／大ペイロード分離システム）として知られる、重い荷重に適した出願人の分離システムに対応する。
【００１８】
図２は、本発明の接続分離装置１の斜視図を示す。装置は複数の円周方向に整列されたクランプ２、２’を含み、クランプの数は、界面の直径に依存することに留意されたい。図２、図３及び図４に最も良く示されているように、これらのクランプ２、２’は、２つの分離可能な要素間のユニオン界面（ｕｎｉｏｎ  ｉｎｔｅｒｆａｃｅ）を構成する分離可能な要素のリング６、７の内面に結合することができる。また、本発明の接続分離装置１は、クランプ２’の２つをクランプ２’の端部の１つに接続する解放機構３を含む。解放機構３によって接続された２つのクランプ２’は、解放機構３と接続する端部とは反対側の端部において、それらの外面から突出する突出部４を備える。残りのクランプ２は隣接するクランプ２、２’に隣接する端部の各々に、その外面から突出する突起４を有する。図２、図３、及び図４は、隣り合うクランプ２がそれらのそれぞれの突起４を連結する連結手段 ５によって互いに又はクランプ２’に連結されていることを示している。
【００１９】
図２〜図７の実施形態では、クランプ２の端部（クランプ２’の端部の１つにも位置する）の突起４がスルーホール８を有することが分かる。また、前記実施形態で実施される取付手段５は対応する隣り合うクランプ２、２’を接続するために、突起４の貫通孔８を貫通する接線方向に配置されたねじ及びナットシステムである。これらの接続手段５は、本発明の接続分離装置１を便利に引っ張ることを可能にする。
【００２０】
図３及び図５において、クランプ２、２’はそれらの外面及び突起４の近傍に、接続手段５を収容することができる凹部領域１０を有することが分かる。
【００２１】
図３は、本発明の接続分離装置１を解放したときにクランプ２、２’を受け入れるための装置９を示す。該装置９は分離可能な要素のリング７に取り付けられるだけであり、落下時にクランプ２、２’を受けるハウジングまたはレセプタクルを備える。これらの装置９のいくつかは、クランプ２、２’を受け入れるために、互いに角度的に間隔を置いて配置されている。
【００２２】
本発明の接続分離装置１がより剛性であるために、隣接するクランプ２、２’の端部の突起４の間に充填要素（図３参照）として追加の要素を挿入することが可能であり、したがって、連続性およびリングにより近い一般的な形状を提供する。前記充填要素は、粘弾性材料であってもよい。
【００２３】
クランプ２、２’は内部に中空の断面を有することができ、これにより、アセンブリの重量を軽くすることができる。その目的のために、それらは、添加剤層製造（ＡＬＭ）技術を用いて製造することができる。
【００２４】
同様に、クランプ２、２’は、格子状の穴（図２、３および５を参照）を有する領域を備え得、これはまた、アセンブリの重量が軽量化されることを可能にする。
【００２５】
図７は、クランプ２’の間に配置された解放機構３を示す。形状記憶材料（ＳＭＡ、または形状記憶合金）は電流が印加されると、それが加熱され、その結晶状態が変化し、解放機構３が開放されることを可能にするように、解放機構３に使用されてもよい。
【００２６】
解放機構３は、本発明の接続分離装置１自体の展開中に発生する衝撃の低減のための制御された解放を可能にする。衝撃は、既存の低衝撃バンドよりも小さい。
【００２７】
解放機構３（図２、図６および図７参照）は火工品（ｐｙｒｏｔｅｃｈｎｉｃ）または非爆発物（ＳＭＡ、溶融等）であってもよい解放要素１１自体から構成され、この解放要素はボルト１３の荷重が台車１４を介して下側リング７に作用したときにブリッジ１２を所定位置に維持するボルト１３を保持する。ブリッジ１２は、クランプ２’（図７）の対応する円錐形穴に受け入れられる２つの雄円錐形接点を有する。接続分離装置１の張力は、ブリッジ１２の雄型コーンとクランプ２’の雌型コーンとの間の摺動によってゆっくりと緩和され、それによって受動的衝撃低減システムが得られる。
【００２８】
図７では、接続状態において、台車１４が接続分離装置１の内面に隣接して配置されていることが分かる。
【００２９】
本発明の接続分離装置１は、従来の装置に比べて質量が大幅に低減されている。例えば、ＬＰＳＳとして知られる上述のシステムで作られた直径１６６６ｍｍのバンドは約２３．２ｋｇの重さであり、一方、本発明のシステムでは、２．７ｋｇの重さである。３８０ｍｍの直径の場合、本発明の装置の重量は約７５０ｇである。これは、例えば、マイクロ衛星およびミニ衛星のために、高い負荷容量が必要とされない場合に、非常に便利なシステムとなる。
【００３０】
本発明は、次のタイプのミッションに特に適用可能である。
重量が重要な要因であるミッション。
小型衛星（軽量、小径インタフェース）。
軽量（１トン未満）であるが、分離システムが任務の大部分の間に衛星と共存する大径インターフェースを有する衛星。これらの場合、バンド張力は高すぎてはならない（＜２０ｋＮ）。
【００３１】
本発明を好ましい実施形態に関連して説明してきたが、その範囲内の修正を導入することができ、そのような実施形態に限定されるべきではなく、特許請求の範囲の内容のみに限定されるべきであることは明らかである。
【図１】
2020501980.tif 000003
【図２】
2020501980.tif 000004
【図３】
2020501980.tif 000005
【図４】
2020501980.tif 000006
【図５】
2020501980.tif 000007
【図６】
2020501980.tif 000008
【図７】
2020501980.tif 000009
【国際調査報告】
2020501980.tif 000010
2020501980.tif 000011
2020501980.tif 000012
2020501980.tif 000013
2020501980.tif 000014
2020501980.tif 000015